(57)【特許請求の範囲】
【請求項１】
体液の通過を許容する表面シートと体液の通過を防止する裏面シートとの間に吸収体を配置し、表面シート及び吸収体を表面から圧搾して圧搾条溝を設け、該圧搾条溝は所定の幅を有してナプキンの長手方向に延びており、該圧搾条溝内に低圧搾部を設け、該低圧搾部は圧搾条溝の幅より狭く条溝底面を幅方向に横切らないように形成され、かつ圧搾条溝の長手方向に間隔をおいて配置された生理用ナプキンにおいて、低圧搾部は外側側壁に統一して連接し、低圧搾部の圧搾条溝幅方向の先端部は半円形状であり、低圧搾部の圧搾条溝の長手方向の間隔が2.0mmであり、各低圧搾部は、圧搾条溝幅方向の長さが1.0mm、条溝長さ方向の幅が1.5mmであることを特徴とする生理用ナプキン。
【発明の詳細な説明】
【０００１】
【発明の属する分野】
この発明は、生理用ナプキン、特に経血等の体液の横漏れを防止して、確実な吸収を達成可能とする生理用ナプキンに関する。
【０００２】
【従来の技術】
従来、中央部において生じた捩れが側面まで達することにより生ずる経血等の体液の横漏れを防止するべく、ナプキンの表面側両側に長手方向に延びる一対の圧搾条溝を有する生理用ナプキンは公知であり、種々の構造、形状のものが提案されている。例えば特許３０５３５６１号公報では、圧搾条溝の底面を幅方向へ連続して横切り、かつ、該底面の長さ方向へ交互に並列する高圧搾部と低圧搾部とを該条溝に有することを特徴とする生理用ナプキンが開示されている。
【０００３】
かかる生理用ナプキンは、高圧搾部と低圧搾部とを交互に並列させてあるから、圧搾条溝の長さ方向への経血の拡散を抑制することができる。しかしながら、圧搾条溝の底面を連続して横切るように低圧搾部を形成しているために、該低圧搾部がナプキンの中央部と側部とを架け渡すブリッジの役割を果たすことになって中央部から側部への経血等の流入が促進され、かえって圧搾条溝を設けた本来の目的である横漏れの防止を充分には達成できないという不都合が生じていた。
【０００４】
【発明が解決しようとする課題】
この発明は、圧搾条溝の長さ方向への経血等の拡散を抑制しながら、圧搾条溝を設けた本来の目的である、経血等の横漏れを防止することを課題とする。
【０００５】
【課題を解決するための手段】
上記課題を解決するためにこの発明が採った手段は、体液の通過を許容する表面シートと体液の通過を防止する裏面シートとの間に吸収体を配置し、表面シート及び吸収体を表面から圧搾して圧搾条溝を設け、該圧搾条溝は所定の幅を有してナプキンの長手方向に延びており、該圧搾条溝内に低圧搾部を設け、該低圧搾部は圧搾条溝の幅より狭く条溝底面を幅方向に横切らないように形成され、かつ圧搾条溝の長手方向に間隔をおいて配置された生理用ナプキンにおいて、低圧搾部は外側側壁に統一して連接し、低圧搾部の圧搾条溝幅方向の先端部は半円形状であり、低圧搾部の圧搾条溝の長手方向の間隔が2.0mmであり、各低圧搾部は、圧搾条溝幅方向の長さが1.0mm、条溝長さ方向の幅が1.5mmであることを特徴とする。
【０００８】
【発明の実施の形態】
この発明の好ましい実施の形態を、以下に詳細に説明する。図面を参照して、図１〜３に示すように生理用ナプキン(１)は、そこを通って体液が内部に移動するのを許容する表面シート(２)と、体液の移動を防止する裏面シート(３)の間に吸収体(４)を配置し、該吸収体の周縁から延出した部分で表面シート(２)と裏面シート(３)を接合した構造を有する。表面シート(２)、裏面シート(３)及び吸収体(４)は、従来提案されている種々の材質、構造のいずれのものでも採用することが出来、特に限定されるものではない。
【０００９】
図１を参照して、生理用ナプキン(１)の表面側縁部には、環状の圧搾条溝(５)が形成され、ナプキン中央部で生じた捩れが側部まで達することにより生ずる横漏れを防止すると共に、装着時には該圧搾条溝(５)が谷となって、ナプキン(１)の中央部が山形に湾曲し、身体への密着性が向上する。なお、本実施例においては圧搾条溝(５)は図に示されるように環状としてあるが、長手方向側部にのみ設けて、環状としなくても良いことは勿論である。
【００１０】
図２，３を参照して、圧搾条溝(５)には、条溝の一方の側壁から他方の側壁方向へ延び出す低圧搾部(６)が連設され、圧搾条溝(５)の長さ方向に一定の間隔を置いて配置される。低圧搾部(６)は圧搾条溝(５)の一方の側壁から幅方向略中央部まで延設されているのみで、他方の側壁まで達していないから、圧搾条溝底面を横切るように低圧搾部を形成した場合に生じた横漏れを防止することができる。なお、低圧搾部(６)の個々の大きさは特に限定されるものではないが、例えば圧搾条溝(５)の幅を1.5mmとした場合には、各低圧搾部(６)は圧搾条溝幅方向に見た長さが1.0mm、条溝長さ方向に見た幅が1.5mm、条溝底面からの高さが0.5mm、とするのが最も好ましく、低圧搾部(６)同士の条溝長さ方向に見た間隔は2.0mmとするのが最も好ましい。また、本実施例においては、低圧搾部(６)は図１，２に示されるとおり、中心側側壁から連設されるものと外側側壁から連設されるものが交互に配置されているが、中心側ないし外側側壁から連設されるものに統一しても良いことは勿論である。
【００１１】
圧搾条溝(５)の上記形状は、表面シート(２)と裏面シート(３)の間に吸収体(４)を配置させて該吸収体の周縁から延出した部分を接合した生理用ナプキン(１)を、低圧搾部(６)を形成できる所望の形状とした金型等の成形型により高圧で圧搾することにより得られる。図４、５は金型の一例の微細形状を表したものであり、金型の圧搾部分全体のイメージは図６のようになる。また、図７、８は金型の他の一例の微細形状を表したものである。このように金型の圧搾部分を蛇行形状とした場合にも、高圧で圧搾するから、圧搾条溝を形成する際に非圧搾箇所において結果的に低圧搾部が形成されることになる。なお、圧搾形状を維持する方法は、従来提案されているいずれのものでも用いることが出来、特に限定されるものではない。
【００１２】
【発明の効果】
この発明によれば、生理用ナプキンの圧搾条溝に形成される低圧搾部を、圧搾条溝を横切らない非連続の形状としているから、圧搾条溝の長さ方向への経血等体液の拡散を抑制させつつ、低圧搾部を介する側部への流入を防止することが出来るとともに、圧搾条溝を設けたことによりもたらされる横漏れの防止、身体への密着性の向上という効果も維持することが可能となる。
【図面の簡単な説明】
【図１】この発明にかかる生理用ナプキンの外観斜視図
【図２】圧搾条溝の拡大図
【図３】図２Ａ−Ａ’線に沿った断面図
【図４】金型の一例の微細形状を示す斜視図
【図５】図４の金型における圧搾部分の拡大平面図
【図６】図４の金型の圧搾部分全体を示す平面図
【図７】金型の他の一例の微細形状を示す斜視図
【図８】図７の金型における圧搾部分の拡大平面図
【符号の説明】
(１)生理用ナプキン
(２)表面シート
(３)裏面シート
(４)吸収体
(５)圧搾条溝
(６)低圧搾部
【図１】
0004620299.tif 000002
【図２】
0004620299.tif 000003
【図３】
0004620299.tif 000004
【図４】
0004620299.tif 000005
【図５】
0004620299.tif 000006
【図６】
0004620299.tif 000007
【図７】
0004620299.tif 000008
【図８】
0004620299.tif 000009